(57)【要約】【課題】高所の荷物の天面などに対象物が存在する場合でも、この対象物を容易に読み取れるウェアラブル電子装置を提供する。【解決手段】情報を読取るスキャナ２と、可撓性を有して、手の甲および指を覆うように装着可能に構成される装着体３と、装着体３の表面に設けられて、装着者の指の第三関節を境界として、スキャナ２が人差し指の指先側と手の甲側の少なくとも２箇所に配置を変換可能に形成されているレール５０とを備える。レール５０は、可撓性を有する合成樹脂により幅狭の長尺状を呈していて、装着体３の折り曲げに連動して湾曲可能に形成されている。【選択図】図６
2020086599.tif 000002
【特許請求の範囲】
【請求項１】
情報を読取る光学読取部と、
可撓性を有し、手の甲および指の少なくとも一部を覆うように装着される装着体と、
前記装着体の表面に設けられ、前記光学読取部を支持する支持部と、
を備え、
前記支持部は、前記装着体の装着時における前記光学読取部の配置を、前記指の第三関節を境界とする指先側と手の甲側との少なくとも２箇所に変換可能に形成されている、
ことを特徴とするウェアラブル電子装置。
【請求項２】
前記支持部は、前記光学読取部を少なくとも前記２箇所間でスライド可能に形成されていることを特徴とする請求項１に記載のウェアラブル電子装置。
【請求項３】
前記支持部は、前記装着体と共に湾曲可能で、前記光学読取部を摺動させるレールであることを特徴とする請求項１または２記載のウェアラブル電子装置。
【請求項４】
前記レールは、前記装着体が作業者の手に装着された際に、前記手の甲に相当する部分から、前記手の指の第二関節に相当する部分まで延設されていて、前記手の動きに連動して前記手の指の第三関節に相当する部分が湾曲する、
ことを特徴とする請求項３に記載のウェアラブル電子装置。
【請求項５】
前記レールの延設方向に沿って、前記装着体に対向する取付面の幅方向中央を直線状に前記装着体と縫合する縫合部と、
前記光学読取部に設けられて、前記レールの両側から前記取付面に向けて係合するホルダと、
を備え、
前記ホルダは、前記光学読取部の摺動方向の前後に離間させて二対配置されていることを特徴とする請求項３または４に記載のウェアラブル電子装置。
【請求項６】
少なくとも一対のホックを備え、
前記支持部は、前記一対のホックのうち、一方であり、
前記一対のホックの他方は、前記光学読取部に設けられていることを特徴とする請求項１記載のウェアラブル電子装置。
【請求項７】
少なくとも一対の面ファスナを備え、
前記支持部は、前記一対の面ファスナのうち、一方であり、
前記一対の面ファスナの他方は、前記光学読取部に設けられていることを特徴とする請求項１記載のウェアラブル電子装置。
【請求項８】
前記装着体は、作業者の手に装着された際に、前記手の指の第二関節に相当する部分より先を開放する開口部を有する、
ことを特徴とする請求項１ないし６のうち何れか一項に記載のウェアラブル電子装置。
【発明の詳細な説明】
【技術分野】
【０００１】
本発明は、ウェアラブル電子装置に関する。
【背景技術】
【０００２】
従来、光学的に画像を読み取るスキャナ装置として、バーコードやＱＲコード（登録商標）を読み取ってその情報をコンピュータ等に送信するハンディスキャナ装置が知られている（例えば、特許文献１等参照）。
【先行技術文献】
【特許文献】
【０００３】
【特許文献１】特開２０１２−２３８２２４号公報
【発明の概要】
【発明が解決しようとする課題】
【０００４】
特許文献１に記載されている発明では、スキャナ装置を手首に装着し、これを回動させて、光学読取部を読取対象のバーコードが貼られている箇所に向ける。しかし、スキャナ装置が手首に配置されることから、上記回動が可能な角度は肘の関節によって曲げられる角度に依存してしまう。
このため、例えば、高所の荷物の天面にバーコードが貼られている場合には、光学読取部をバーコードに正対させにくく、作業が妨げられていた。
【０００５】
そこで、本発明は、高所の荷物の天面などに読取対象物が存在する場合でも容易に読み取れるウェアラブル電子装置を提供することを課題とする。
【課題を解決するための手段】
【０００６】
本発明は、上記目的を達成するため、情報を読取る光学読取部と、可撓性を有して、手の甲および指を覆うように装着可能に構成される装着体と、装着体の表面に設けられて、指の第三関節を境界として、光学読取部が指先側と手の甲側の少なくとも２箇所に配置を変換可能に形成されている支持部と、を備えたことを特徴とするウェアラブル電子装置である。
【発明の効果】
【０００７】
本発明によれば、高所の荷物の天面などに読取対象物が存在する場合でも容易に読み取れるウェアラブル電子装置が提供される。
【図面の簡単な説明】
【０００８】
【図１】実施形態１のウェアラブル電子装置で、全体の構成を説明し、装着体を腕に装着した様子を説明する上面図である。
【図２】実施形態１のウェアラブル電子装置で、全体の構成を説明し、装着体を腕に装着した様子を説明する斜視図である。
【図３】実施形態１のウェアラブル電子装置で、回路の構成を説明する装着体の平面図である。
【図４】実施形態１のウェアラブル電子装置で、スライダの構成を説明する図３中ＩＶ−ＩＶ線に沿った位置での断面図である。
【図５】実施形態１のウェアラブル電子装置で、スライダの構成を説明する図３中Ｖ−Ｖ線に沿った位置での断面図である。
【図６】実施形態１のウェアラブル電子装置で、荷物の上壁面のバーコードを読取る様子を説明する斜視図である。
【図７】実施形態１のウェアラブル電子装置で、荷物の側壁面のバーコードを読取る様子を説明する側面図である。
【図８】実施形態１のウェアラブル電子装置で、荷物の上壁面のバーコードを読取る様子を説明する側面図である。
【図９】実施形態２のウェアラブル電子装置で、荷物の側壁面のバーコードを読取る様子を説明する側面図である。
【図１０】実施形態２のウェアラブル電子装置で、荷物の上壁面のバーコードを読取る様子を説明する側面図である。
【図１１】実施形態３のウェアラブル電子装置で、荷物の側壁面のバーコードを読取る様子を説明する側面図である。
【図１２】実施形態３のウェアラブル電子装置で、荷物の上壁面のバーコードを読取る様子を説明する側面図である。
【発明を実施するための形態】
【０００９】
［実施形態１］
以降、本発明を実施するための形態を、各図を参照して詳細に説明する。
本発明の実施形態１に係るウェアラブル電子装置１は、図１に示すように、装着者（ユーザまたは作業者とも言う。）の腕部１０１に装着して使用される。ウェアラブル電子装置１は、情報を読取る光学読取部としてのスキャナ２と、可撓性を有し、先端に筒状部分が形成され、スキャナ２を支持する装着体３と、第１ボタンとしての電源ボタン７と、第２ボタンとしてのスキャナトリガ６と、支持部としてのレール５０と、スキャナ２をレール５０に沿って摺動させるスライダ４０とを備えている。
【００１０】
また、実施形態１のウェアラブル電子装置１は、図２に示すように、装着体３の上に、入力キーボタン１２を有する表示部としての表示パネル１１を備えている。さらに、ウェアラブル電子装置１は、図３に示すように、装着体３の内部に収納される端末本体部としての電子回路基板１３と、バッテリ１５とを備えている。電子回路基板１３は、制御部（ＣＰＵ）を内蔵している。
そして、図３に示すように、ウェアラブル電子装置１は、各配線１７〜２１を備えている。配線１７は、表示パネル１１と電子回路基板１３とを接続する。配線１８は、バッテリ１５と電子回路基板１３とを接続する。配線１９は、スキャナ２と電子回路基板１３とを接続する。配線２０は、スキャナトリガ６と電子回路基板１３とを接続する。配線２１は、電源ボタン７と電子回路基板１３とを接続する。
【００１１】
このうち、スキャナ２は、物品（貨物、製品、商品）に貼付されたラベルに印刷されたバーコードまたは、二次元コードをスキャンしてデコードする。そして、このウェアラブル電子装置１は、スキャナ２でスキャンされた情報をホストコンピュータ等に送信する。
【００１２】
装着体３は、装着者の腕部１０１の動作を妨げないように可撓性を有している。
実施形態１の装着体３は、装着者の手の甲および指の少なくとも一部を覆うように腕部１０１に亘って装着可能で、一般的な衣料に使用される布で構成されている。
しかしながら、特にこれに限らず、装着体３は、不織布、合成皮革、ゴム等のシート状部材で一部または全部が形成されていてもよい。そして、装着体３は、スキャナ２の用途に応じて、耐久性、通気性、防水性を有する等の材料が選択される。
【００１３】
このような装着体３は、装着者の腕部１０１に装着して、スキャナ２を、装着者の手の甲に位置するように配置するための部品であり、図２に示すように、装着体３は、主に装着者の手や指の一部を覆う手部１ｈと、肘側すなわち前腕を覆う前腕部１ａとを有している（図３参照）。
手部１ｈには、人差し指１０２が挿入される部分として、先端の幅広部を筒状とした人差し指挿入筒部３１（人差し指係合部）が形成されている。また、手部１ｈには、親指１０３が挿入される部分として、先端の幅広部を筒状とした親指挿入筒部３２（親指係合部）が形成されている。
また、親指挿入筒部３２は、装着体３の装着時に装着者の親指１０３の爪１０３ａ部分および第１関節Ｊ１よりも爪１０ａ側の一部が開放されるようなオープン形状を呈している。即ち、親指挿入筒部３２は、装着体３の装着時に装着者の親指１０３の末節骨の半分まで覆うようなオーブン形状を呈している。
このため、装着体３が親指１０３と人差し指１０４との先端付近で擦れたり引掛けたりして破損する虞が少ない。
【００１４】
図２に示すように、スキャナ２は、電子回路基板１３を介して、スキャナトリガ６に接続される。スキャナトリガ６は、円形の扁平形状で、人差し指挿入筒部３１の側面３１ａに設けられていて、装着体３が装着された際に、装着者の人差し指１０２の基節骨上における親指１０３側に配置される。
スキャナトリガ６は、押圧されていない状態では、ボタンを開く。スキャナ２は、スキャナトリガ６が開いている状態では、二次元バーコードなどを読み取らない。
そして、スキャナトリガ６は、押圧によりボタンを閉じる。スキャナ２は、スキャナトリガ６が閉じている状態で二次元バーコードなどを読み取る。このように、スキャナトリガ６は、スキャナ２による読取動作を制御するために設けられている。
【００１５】
このスキャナトリガ６は、図１に示すように、装着体３の人差し指挿入筒部３１の側面３１ａに設けられている。そして、装着体３が装着者の手に装着される際、人差し指１０２は、人差し指挿入筒部３１に挿入される。
これにより、スキャナトリガ６は、人差し指１０２の側面１０２ａ側を覆う人差し指挿入筒部３１の側面３１ａに配置される。
したがって、装着者が作業する際に物品と干渉しにくい人差し指１０２の側面１０２ａに、スキャナトリガ６を設けることが可能となる。これにより、装着者は、意図せずにスキャナトリガ６を操作せず、かつスキャナトリガ６の操作を確実に行える。
【００１６】
また、スキャナ２の電源をＯＮ，ＯＦＦするボタンとしての電源ボタン７は、円形の扁平形状で、装着体３の親指挿入筒部３２の上面３２ａ側に配置されている。
電源ボタン７は、電子回路基板１３を介して、スキャナ２に接続されている。ユーザが電源ボタン７を押圧することにより、電子回路基板１３とスキャナ２のＯＮ，ＯＦＦを切替えられるように構成されている。
このため、図２に示すように、親指１０３に親指挿入筒部３２が装着された際、親指１０３の爪側を覆う部分である親指挿入筒部３２の上面３２ａに電源ボタン７は、配置されている。これにより、装着者が意図せずに電源ボタン７をＯＮ，ＯＦＦ操作せず、かつ電源ボタン７のＯＮ，ＯＦＦが確実に行える。
【００１７】
さらに、図２に示すように、装着体３には、装着体３を腕の周囲に廻した状態で係止する面ファスナ（フック）２３ａ，２３ｂ及び面ファスナ（ループ）２４ａ，２４ｂがそれぞれ装着体３の表裏面に縫付けられている。面ファスナ２３ａ，２３ｂと面ファスナ（ループ）２４ａ，２４ｂの係止により、装着体３を装着者の腕の周囲に係止する。
【００１８】
装着体３の表面には、光学読取部としてのスキャナ２を支持する支持部としてのレール５０が設けられている。実施形態１のレール５０は、図２に示すように、可撓性を有する合成樹脂によって幅狭の長尺状に形成されている。このレール５０の上面には、長手方向に沿って複数の凹凸５４が所定間隔を置いて形成されている（図４参照）。
そして、図６に示すように、レール５０は、装着体３と共に上下方向（装着体３の面外方向）に湾曲可能である。レール５０は、手の指が曲がる方向には容易に湾曲するように構成されている。
図２に示すように、実施形態１では、装着体３が作業者の手に装着された際に、手の人差し指１０２の第三関節Ｊ３を境として、装着体３の上面の手の甲側に相当する部分の第１部位１ｋと、手の人差し指１０２の指先側に相当する部分の第２部位１ｄとに部位を分けて設定する。そして、第１部位１ｋの手の甲から、第２部位１ｄの第２関節Ｊ２と第３関節Ｊ３の間（基節骨上）まで、レール５０が設けられている。このレール５０は、第三関節Ｊ３の曲げ伸ばしを伴う手の動きに連動して湾曲する。
【００１９】
図４に示すように、実施形態１のレール５０は、ほぼ全長に亘り、縫合部５２の糸によって縫合されている。縫合部５２は、レール５０の幅方向中央を長手方向に沿って一直線状となるように、レール５０下側の取付面５６と装着体３との間に隙間ｈ１を形成しながら縫合されている（図５参照）。実施形態１では、図４に示すように、レール５０の取付面５６と装着体３の表面との間に一定の隙間ｈ１が全長に亘り形成されている。
【００２０】
図４に示すように、実施形態１のスキャナ２は、レール５０に沿って摺動可能なスライダ４０に設けられている。
スライダ４０は、平面視略長方形形状の台座部４６の上に立方体形状の格納部４５が一体となるように載置されている。格納部４５には、読み取り方向をレール５０の長手方向に向けた状態でスキャナ２が収納されている。
【００２１】
図４に示すように、この台座部４６の下面側の前後端には、前ホルダ４２および後ホルダ４４が設けられている。これらの前ホルダ４２および後ホルダ４４は、スライダ４０の摺動方向の前後に離間させて二対配置されている。
図５に示すように、前ホルダ４２は、レール５０の両側から取付面５６の中央に向けて係合爪を延設した断面略Ｌ字状の２つのフックを一対、係合させている。同様に、後ホルダ４４は、レール５０の両側から下面に位置する取付面５６の中央に向けて、係合爪を延設した断面略Ｌ字状の２つのフックを一対、係合させている。
フックの高さ方向寸法ｈ２は、隙間ｈ１よりも小さく（ｈ２＜ｈ１）、設定されている。これにより、スライダ４０は、レール５０に沿って摺動可能となるように構成されていて、装着体３の装着時におけるスキャナ２の配置を、手の人差し指１０２の第三関節Ｊ３を境界とする手の甲側に相当する部分の第１部位１ｋと、手の人差し指１０２の指先側に相当する部分の第２部位１ｄとの少なくとも２箇所間でスライド可能で、スライドさせて変換可能に形成されている。
【００２２】
図４に示すように、この台座部４６の下面側の長手方向中央には、弾性爪７０が設けられている。弾性爪７０は、金属製のバネ板片の一端側を台座部４６の下面側に固着させている。また、弾性爪７０の他端側は、山型に形成されていて、レール５０の上面側と摺接する先端部が形成されている。そして、弾性爪７０は、スキャナ２をレール５０に沿って摺動させる際、レール５０の上面側に設けられた凹凸５４に先端部が弾接する。これにより節度感（クリック感）を生じさせている。
【００２３】
次に、実施形態１のウェアラブル電子装置１の作用効果について説明する。
図２に示すように、ウェアラブル電子装置１の装着者は、装着体３を前腕部１ａの周囲に廻した状態で面ファスナ（フック）２３ａ，２３ｂを面ファスナ（ループ）２４ａ，２４ｂにそれぞれ係止して、装着体３を手の甲および指を覆うように装着する。
この際、人差し指挿入筒部３１には、人差し指１０２が挿入されて、親指挿入筒部３２には、親指１０３が挿入される。そして、装着者は、電源ボタン７と、スキャナトリガ６とを親指１０３および人差し指１０２によって操作して、スキャナ２を読み取り可能な状態とする。これにより、荷物２００に貼設されたバーコード６０を読み取る作業が行える。
【００２４】
図７に示すように、荷物２００の側面２００ａにバーコード６０が貼られている等、読取対象部位が比較的低い場所にある場合、スライダ４０は、レール５０の後方位置である第１部位１ｋに配置されることが好ましい。
スライダ４０は、弾性爪７０をレール５０上面の凹凸５４に係合させて、スキャナ２を、装着体３の上面の手の甲側に固定する。これにより、読取対象部位が比較的低い場所にあり、荷物２００の側面２００ａにバーコード６０が貼られている場合であっても、スキャナ２を容易にバーコード６０に正対させることができる。実施形態１では、図７に示すように、第三関節Ｊ３を曲げてスキャナトリガ６を親指１０３で操作しても、手の甲の上に設けられたスキャナ２の角度は変わらない。このため、スポット光を的確にバーコード６０に当てて、さらに、作業性を良好なものとすることができる。
基本的には、作業の邪魔にならないように手の甲の上である第１部位１ｋに、スキャナ２を位置させたほうがよい。しかしながら、図６に示すように高い荷物２００の上面２００ｂに貼られたバーコード６０を読む際には、手首の曲がりに限界がある。このため、ウェアラブル電子装置１は、人差し指１０２の第３関節Ｊ３の指先側である第２部位１ｄの上にスキャナ２を位置させることができる。これにより、図８に示すように、ウェアラブル電子装置１は、人差し指１０２の第３関節Ｊ３の曲がりも利用して、スキャナ２の向きを変更できる。
【００２５】
実施形態１では、レール５０に沿ってスライダ４０を摺動させて、スキャナ２の位置を変更可能である。図８に示すように、荷物２００の上面２００ｂにバーコード６０が貼られている等、読取対象部位が比較的高い場所にある場合、スライダ４０は、レール５０の前方位置である第２部位１ｄの第２関節Ｊ２と第３関節Ｊ３の間（基節骨上）まで移動されて固定される。
そして、図６に示すように、装着者は手を伸ばして、第三関節Ｊ３を曲げることにより、荷物２００の上面に貼られているバーコード６０にスキャナ２を正対させて情報を容易に読み取ることが出来る。
実施形態１では、図８に示すように、第三関節Ｊ３を曲げることにより、スキャナトリガ６が親指１０３に近接して、操作しやすくなる。このため、さらに、作業性を良好なものとすることができる。
このように、読取対象部位が比較的低い場所にある場合や、高所の荷物の天面に読取対象物が存在する場合でも、実施形態１のウェアラブル電子装置１によれば、レール５０に沿ってスライダ４０の位置を変更することにより、容易にスキャナ２による読取り作業が行えて、作業性を向上させることができる。
すなわち、手首の曲がりに限界があっても、人差し指１０２の第３関節Ｊ３よりも指先側にスキャナ２を配置することにより、第３関節Ｊ３の曲がりも利用して、スキャナ２からのスポット光の向きの自由度を増大させて、容易にバーコード６０に正対させることにより、読み取り作業を効率化できる。
【００２６】
［実施形態２］
図９および図１０は、実施形態２のウェアラブル電子装置２０１を示すものである。なお、前記実施形態１のウェアラブル電子装置１と同一乃至均等な部分については、同一符号を付して説明を省略する。
実施形態２のウェアラブル電子装置２０１では、台座部４６の下面側に摺動方向の前後に離間させて二対のホック２１０，２２０が設けられている。
【００２７】
このうち、ホック２１０は、凸部を有する凸ボタン２１２と、凸ボタン２１２と係合可能な凹部を有する凹ボタン２１１とを有している。手の第三関節を境として、装着体３の上面の手の甲側の部分である第１部位１ｋには、一方の支持部としての凸ボタン２１２が固定される。また、他方の凹ボタン２１１は、台座部４６の下面側の後端部に固定される。
さらに、ホック２２０は、凸部を有する凸ボタン２２２と、凸ボタン２２２と係合可能な凹部を形成した凹ボタン２２１とを有している。一方の支持部としての凸ボタン２２２は、装着体３の第１部位１ｋに凸ボタン２１２と離し置きされて固定される。また、他方の凹ボタン２２１は、台座部４６の下面側の前端部に固定されている。
【００２８】
そして、手の第三関節を境として、手の人差し指１０２の指先側の第二関節Ｊ２に相当する部分までの第２部位１ｄのうち、第２関節Ｊ２と第３関節Ｊ３の間（基節骨上）までには、装着体３の上面に、一方の支持部としての凸ボタン２４１，２４２が固定されている。これらの凸ボタン２４１，２４２は、凹ボタン２１１，２２１とそれぞれ係合および離反が可能としている。これにより、手の第三関節を境として、装着体３の上面の手の甲側と人差し指１０２の指先側の第２関節Ｊ２と第３関節Ｊ３の間（基節骨上）に、装着体３は、２箇所の支持部を設けている。
【００２９】
このように構成された実施形態２のウェアラブル電子装置２０１では、図９に示すように、読取対象部位が比較的低い場所にあり、荷物２００の側面２００ａにバーコード６０が貼られている場合、凸ボタン２２２と凹ボタン２２１とを係合させるとともに、凸ボタン２１２と凹ボタン２１１とを係合させる。
これにより、スキャナ２は、装着体３の第１部位１ｋに固定されて、容易にスキャナ２をバーコード６０に正対させることができる。また、凸ボタン２１２，２２２と凹ボタン２１１，２２１との係合を解除する。これにより、スキャナ２を装着体３から取外すことができる。
【００３０】
そして、図１０に示すように、読取対象部位が比較的高い場所にあり、荷物２００の上面２００ｂにバーコード６０が貼られている場合、装着体の第２関節Ｊ２と第３関節Ｊ３の間（基節骨上）の第２部位１ｄに固定されている凸ボタン２４１，２４２と、スキャナ２の凹ボタン２１１，２２１とを係合させる。
これにより、スキャナ２は、装着体３の第２関節Ｊ２と第３関節Ｊ３の間（基節骨上）の第２部位１ｄに固定される。したがって、荷物２００の上面２００ｂにバーコード６０が貼られている等、読取対象部位が比較的高い場所にある場合でも、容易にスキャナ２をバーコード６０に正対させることができる。
他の構成および実施形態については、前記実施形態１と同一乃至均等であるので説明を省略する。
【００３１】
［実施形態３］
図１１および図１２は、実施形態３のウェアラブル電子装置３０１を示すものである。なお、前記実施形態１のウェアラブル電子装置１と同一乃至均等な部分については、同一符号を付して説明を省略する。
実施形態３のウェアラブル電子装置３０１では、台座部４６の下面側に面ファスナ３１０が設けられている。この面ファスナ３１０は、フック材３１２とループ材３１１とを有していて、係合および離反が可能に構成されている。
【００３２】
このうち、一方の支持部としてのループ材３１１は、手の第三関節Ｊ３を境として、装着体３の上面の手の甲側に位置する第１部位１ｋに固定される。また、他方のフック材３１２は、台座部４６の下面側に固定される。
また、他方のフック材３１２と係合および離反が可能な一方の支持部としてのループ材３１１は、手の第三関節Ｊ３を境として、手の人差し指１０２の指先側の第二関節に相当する部分までの第２関節Ｊ２と第３関節Ｊ３の間（基節骨上）の第２部位１ｄに固定されている。これにより、装着体３は、２箇所の支持部を手の第三関節Ｊ３を境として、装着体３の上面の手の甲側と人差し指１０２の第３関節Ｊ３よりも指先側とに設けている。
【００３３】
このように構成された実施形態３のウェアラブル電子装置３０１では、図１１に示すように、読取対象部位が比較的低い場所にあり、荷物２００の側面２００ａにバーコード６０が貼られている場合、フック材３１２と第１部位１ｋに固定されているループ材３１１とを係合させて、スキャナ２を装着体３の上面の手の甲側に固定することができる。これにより、バーコード６０にスキャナ２を容易に正対させることができる。
【００３４】
また、図１２に示すように、読取対象部位が比較的高い場所にあり、荷物２００の上面２００ｂにバーコード６０が貼られている場合、フック材３１２と第２関節Ｊ２と第３関節Ｊ３との間（基節骨上）の第２部位１ｄに固定されているループ材３２１とを係合させる。これにより、スキャナ２は、装着体３の人差し指１０２の第３関節Ｊ３よりも指先側の上面に固定される。したがって、荷物２００の上面２００ｂにバーコード６０が貼られている等、読取対象部位が比較的高い場所にある場合でも、容易にスキャナ２をバーコード６０に正対させることができる。
他の構成および実施形態については、前記実施形態１と同一乃至均等であるので説明を省略する。
【００３５】
なお、本発明は、前記した実施形態１〜３に限定されるものではなく、本発明の要旨を逸脱しない範囲で種々の変更や変形を行うことができる。例えば、前記した実施形態１〜３は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００３６】
例えば、実施形態２では、台座部４６の摺動方向の前後に離間させて二対のホック２１０，２２０が設けられているが、一対であってもよく、ホック２１０の形状、数量および材質が特に実施形態２によって限定されるものではない。このように、配置変換の方法は、ボタン等であってもよく、特に限定されない。
【００３７】
また、実施形態３では、装着体３の上面の甲側の第１部位１ｋに、支持部としてのループ材３１１と第２関節Ｊ２と第３関節Ｊ３の間（基節骨上）の第２部位１ｄのループ材３２１とを別体として固定している。しかしながら、特にこれに限らず、たとえば、第１部位１ｋから第２関節Ｊ２と第３関節Ｊ３の間（基節骨上）の第２部位１ｄまで連続する一本の長尺のループ材を設けてもよい。この場合、一本のループ材上の手の甲の上に位置する第１部位１ｋおよび第２関節Ｊ２と第３関節Ｊ３の間（基節骨上）の第２部位１ｄに位置する部分にそれぞれスキャナ２が固定される。
【００３８】
すなわち、人差し指の第三関節Ｊ３を境界として、スキャナ２が人差し指の指先側と手の甲側の少なくとも２箇所に配置変換可能であれば、面ファスナ等の支持部の形状、数量および材質が特に限定されるものではない。
また、実施形態１〜３では、人差し指１０２を用いるものを示して説明してきたが、人差し指１０２でなくても他の指であってもよい。
たとえば、親指の場合は、第２関節が曲がる角度を大きくとれる境界となるので、指先側は、第２関節よりも指先側として設定することが好ましい。
さらに、スキャナ２は、第２関節Ｊ２と第３関節Ｊ３の間までスライドしたが、これに限定されず、第２関節Ｊ２よりも指先側、たとえば第１関節Ｊ１付近あるいは、末節骨の上までスライドさせて配置するように構成してもよい。
【００３９】
また、隣り合う複数の指同士を同じ指挿入筒部内に挿入して、スキャナ２をこの指挿入筒部上に設けてもよい。隣り合う指同士はどのような組合せでもよく、３本以上であってもよい。この場合も、スキャナ２はさらに安定して、バーコード６０を読取る作業の効率を向上させることが出来る。
そして、手首の曲がりに限界があっても、中指１０３，薬指１０４，小指１０５等、複数の指の第３関節Ｊ３よりも指先側の第２部位１ｄに対応する部分にスキャナ２を配置する等、第２部位１ｄの配置は、第３関節Ｊ３から人差し指１０２の指先側に限らず、第２関節Ｊ２、または、第１関節Ｊ１よりも指先側にスキャナ２を安定して配置出来ればよく、この場合、各第１〜３関節の曲がりも利用して、スキャナ２の向きを変更できる。
【００４０】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
情報を読取る光学読取部と、
可撓性を有し、手の甲および指の少なくとも一部を覆うように装着される装着体と、
前記装着体の表面に設けられ、前記光学読取部を支持する支持部と、
を備え、
前記支持部は、前記装着体の装着時における前記光学読取部の配置を、前記指の第三関節を境界とする指先側と手の甲側との少なくとも２箇所に変換可能に形成されている、
ことを特徴とするウェアラブル電子装置。
《請求項２》
前記支持部は、前記光学読取部を少なくとも前記２箇所間でスライド可能に形成されていることを特徴とする請求項１に記載のウェアラブル電子装置。
《請求項３》
前記支持部は、前記装着体と共に湾曲可能で、前記光学読取部を摺動させるレールであることを特徴とする請求項１または２記載のウェアラブル電子装置。
《請求項４》
前記レールは、前記装着体が作業者の手に装着された際に、前記手の甲に相当する部分から、前記手の指の第二関節に相当する部分まで延設されていて、前記手の動きに連動して前記手の指の第三関節に相当する部分が湾曲する、
ことを特徴とする請求項３に記載のウェアラブル電子装置。
《請求項５》
前記レールの延設方向に沿って、前記装着体に対向する取付面の幅方向中央を直線状に前記装着体と縫合する縫合部と、
前記光学読取部に設けられて、前記レールの両側から前記取付面に向けて係合するホルダと、
を備え、
前記ホルダは、前記光学読取部の摺動方向の前後に離間させて二対配置されていることを特徴とする請求項３または４に記載のウェアラブル電子装置。
《請求項６》
少なくとも一対のホックを備え、
前記支持部は、前記一対のホックのうち、一方であり、
前記一対のホックの他方は、前記光学読取部に設けられていることを特徴とする請求項１記載のウェアラブル電子装置。
《請求項７》
少なくとも一対の面ファスナを備え、
前記支持部は、前記一対の面ファスナのうち、一方であり、
前記一対の面ファスナの他方は、前記光学読取部に設けられていることを特徴とする請求項１記載のウェアラブル電子装置。
《請求項８》
前記装着体は、作業者の手に装着された際に、前記手の指の第二関節に相当する部分より先を開放する開口部を有する、
ことを特徴とする請求項１ないし６のうち何れか一項に記載のウェアラブル電子装置。
【符号の説明】
【００４１】
１      ウェアラブル電子装置
２      スキャナ（光学読取装置）
３      装着体
１１    表示パネル（表示部）
１３    電子回路基板（端末本体部）
５０    レール（支持部）
１ｋ    第１部位（手の甲側）
１ｄ    第２部位（手の人差し指の指先側）
Ｊ３    第３関節
【図１】
2020086599.tif 000003
【図２】
2020086599.tif 000004
【図３】
2020086599.tif 000005
【図４】
2020086599.tif 000006
【図５】
2020086599.tif 000007
【図６】
2020086599.tif 000008
【図７】
2020086599.tif 000009
【図８】
2020086599.tif 000010
【図９】
2020086599.tif 000011
【図１０】
2020086599.tif 000012
【図１１】
2020086599.tif 000013
【図１２】
2020086599.tif 000014